【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
電子デバイス上に複数のピクチャインピクチャ（ＰＩＰ）を表示するための方法であって、
前記デバイスの第１のイメージセンサを用いて第１の方向にある第１の視野をキャプチャすることと、
前記デバイスの第２のイメージセンサを用いて第２の方向にある第２の視野をキャプチャすること、ここにおいて、前記第２の方向は、前記第１の方向とは異なる、と、
前記デバイスのスクリーン上に前記第１の視野のビデオを表示することと、
前記ビデオ内の第１のオブジェクトを選択することと、
前記第１のオブジェクトの選択を認識することと、
前記第１のオブジェクトを含む前記ビデオ内の関心領域（ＲＯＩ）を定義すること、ここにおいて、前記ＲＯＩは、前記第１のオブジェクトが前記ビデオ内を移動すると前記第１のオブジェクトと共に移動する、と、
前記スクリーン上に前記ビデオ内の前記ＲＯＩとは別個である第１のＰＩＰを表示すること、ここにおいて、前記第１のＲＩＰは、第１のロケーション内の前記第１のＰＩＰが前記ビデオ内の前記ＲＯＩを妨害しないように、前記スクリーン上の前記第１のロケーションを有する位置に表示され、前記第１のＰＩＰは、前記第１のオブジェクトの画像を含む第１のＰＩＰビデオを継続的に表示する、と、
前記第１のオブジェクトを追跡することと、前記第１のオブジェクトが追跡されているときに前記第１のＰＩＰに前記第１のオブジェクトを表示することと、
前記スクリーン上に第２のＰＩＰを表示すること、ここにおいて、前記第２のＰＩＰは、前記第２の視野からの第２のオブジェクトの画像を含む第２のＰＩＰビデオを表示する、と、
前記第１のＰＩＰまたは前記第２のＰＩＰが前記定義されたＲＯＩを妨害すると決定することに応答して、前記第１のＰＩＰおよび前記第２のＰＩＰをグループとして共に移動させることと、
を備える、方法。
【請求項２】
前記第１のオブジェクトが前記スクリーン上に表示されるときに、前記第１のオブジェクトを検出することをさらに備える、請求項１に記載の方法。
【請求項３】
前記ビデオ、前記第１のＰＩＰビデオ、および前記第２のＰＩＰビデオを記録することをさらに備える、請求項１に記載の方法。
【請求項４】
前記スクリーン上に第３のＰＩＰおよび第４のＰＩＰを表示すること、ここにおいて、前記第３のＰＩＰは第３のオブジェクトを表示し、前記第４のＰＩＰは第４のオブジェクトを表示する、と、
前記第１、第２、第３、および第４のオブジェクトを、それらが表示されているときに追跡することと、
をさらに備える、請求項１に記載の方法。
【請求項５】
前記スクリーン上に前記定義されたＲＯＩを表示することをさらに備える、請求項１に記載の方法。
【請求項６】
前記ＲＯＩを定義することは、前記第１のオブジェクトの境界と前記ＲＯＩとの間に指定量の距離を残すマージンを定義することを備える、請求項１に記載の方法。
【請求項７】
電子デバイス上に複数のピクチャインピクチャ（ＰＩＰ）を表示するためのシステムであって、
第１の方向にある第１の視野と第２の方向にある第２の視野とをキャプチャするように構成された少なくとも１つのイメージセンサ、ここにおいて、前記第２の方向は、前記第１の方向とは異なる、と、
前記第１の視野のビデオ内で追跡する第１のオブジェクトの選択を認識することと、
前記第１のオブジェクトを含む前記ビデオ内の関心領域（ＲＯＩ）を定義すること、ここにおいて、前記ＲＯＩは、前記第１のオブジェクトが前記ビデオ内を移動すると前記第１のオブジェクトと共に移動する、と、
前記ビデオ内の前記第１のオブジェクトを検出および追跡することと、
前記ビデオ内の前記ＲＯＩとは別個であり、前記第１のオブジェクトが追跡されている第１のＰＩＰビデオ内の前記第１のオブジェクトを備えた第１のＰＩＰを生成することと、
第１のロケーション内の前記第１のＰＩＰが前記ビデオ内の前記ＲＯＩを妨害しないように、前記第１のロケーションを有する前記第１のＰＩＰのための位置を決定することと、
を行うように構成されたプロセッサと、
前記ビデオ、追跡されている前記第１のオブジェクトを備えた前記第１のＰＩＰ、および前記第２の視野からの第２のオブジェクトを含む第２のＰＩＰビデオを備えた第２のＰＩＰを表示するように構成されたスクリーン、ここにおいて、前記第１のＰＩＰは、前記第１のロケーションを有する前記位置に表示される、と、
を備え、前記プロセッサは、前記第１のＰＩＰまたは前記第２のＰＩＰが前記定義されたＲＯＩを妨害すると決定することに応答して、前記第１のＰＩＰおよび前記第２のＰＩＰをグループとして共に移動させるようにさらに構成される、システム。
【請求項８】
前記プロセッサは、前記ビデオ、前記第１のＰＩＰビデオ、および前記第２のＰＩＰビデオを記録するようにさらに構成される、請求項７に記載のシステム。
【請求項９】
前記プロセッサは、前記ビデオ、前記第１のＰＩＰビデオ、および前記第２のＰＩＰビデオを別個のビデオとして各々記録するようにさらに構成される、請求項８に記載のシステム。
【請求項１０】
前記プロセッサは、第３のＰＩＰおよび第４のＰＩＰを生成するようにさらに構成され、前記スクリーンは、前記第３のＰＩＰおよび前記第４のＰＩＰを表示するように構成される、請求項８に記載のシステム。
【請求項１１】
前記プロセッサは、前記第２のオブジェクトを追跡するようにさらに構成され、前記スクリーンは、前記第２のＰＩＰビデオに前記追跡された第２のオブジェクトを表示するようにさらに構成される、請求項７に記載のシステム。
【請求項１２】
前記第１のＰＩＰは、リサイズ可能である、請求項７に記載のシステム。
【請求項１３】
前記ビデオは、ライブビデオである、請求項７に記載のシステム。
【請求項１４】
前記ビデオは、記録されたビデオである、請求項７に記載のシステム。
【請求項１５】
前記プロセッサは、前記スクリーン上に前記定義されたＲＯＩを表示するようにさらに構成される、請求項７に記載のシステム。
【請求項１６】
前記プロセッサは、前記第１のオブジェクトの境界と前記ＲＯＩとの間に指定量の距離を残すマージンを定義することによって前記ＲＯＩを定義するようにさらに構成される、請求項７に記載のシステム。
【請求項１７】
電子デバイス上に複数のピクチャインピクチャ（ＰＩＰ）を表示するためのシステムであって、
第１の方向にある第１の視野をキャプチャするための手段と、
第２の方向にある第２の視野をキャプチャするための手段、ここにおいて、前記第２の方向は、前記第１の方向とは異なる、と、
前記デバイスのスクリーン上に前記第１の視野のビデオを表示するための手段と、
前記ビデオ内の第１のオブジェクトを選択するための手段と、
前記第１のオブジェクトの選択を認識するための手段と、
前記第１のオブジェクトを含む前記ビデオ内の関心領域（ＲＯＩ）を定義するための手段、ここにおいて、前記ＲＯＩは、前記第１のオブジェクトが前記ビデオ内を移動すると前記第１のオブジェクトと共に移動する、と、
前記スクリーン上に前記ビデオ内の前記ＲＯＩとは別個である第１のＰＩＰを表示するための手段、ここにおいて、前記第１のＲＩＰは、第１のロケーション内の前記第１のＰＩＰが前記ビデオ内の前記ＲＯＩを妨害しないように、前記スクリーン上の前記第１のロケーションを有する位置に表示され、前記第１のＰＩＰは、前記第１のオブジェクトの画像を含む第１のＰＩＰビデオを継続的に表示する、と、
前記第１のオブジェクトを追跡するための手段と、前記第１のオブジェクトが追跡されているときに前記第１のＰＩＰに前記第１のオブジェクトを表示するための手段と、
前記スクリーン上に第２のＰＩＰを表示するための手段、ここにおいて、前記第２のＰＩＰは、前記第２の視野からの第２のオブジェクトの画像を含む第２のＰＩＰビデオを表示する、と、
前記第１のＰＩＰまたは前記第２のＰＩＰが前記定義されたＲＯＩを妨害すると決定することに応答して、前記第１のＰＩＰおよび前記第２のＰＩＰをグループとして共に移動させるための手段と、
を備える、システム。
【請求項１８】
前記ビデオ、前記第１のＰＩＰビデオ、および前記第２のＰＩＰビデオを記録するための手段をさらに備える、請求項１７に記載のシステム。
【請求項１９】
前記スクリーン上に前記定義されたＲＯＩを表示するために手段をさらに備える、請求項１７に記載のシステム。
【請求項２０】
前記ＲＯＩを前記定義するための手段は、前記第１のオブジェクトの境界と前記ＲＯＩとの間に指定量の距離を残すマージンを定義するための手段を備える、請求項１７に記載のシステム。
【請求項２１】
プロセッサによって実行されると、電子デバイス上に複数のピクチャインピクチャ（ＰＩＰ）オリエンテーションを表示するための方法を行う命令を記憶するように構成された非一時的なコンピュータ可読媒体であって、前記方法は、
前記デバイスの第１のイメージセンサを用いて第１の方向にある第１の視野をキャプチャすることと、
前記デバイスの第２のイメージセンサを用いて第２の方向にある第２の視野をキャプチャすること、ここにおいて、前記第２の方向は、前記第１の方向とは異なる、と、
前記デバイスのスクリーン上に前記第１の視野のビデオを表示することと、
前記ビデオ内の第１のオブジェクトを選択することと、
前記第１のオブジェクトの選択を認識することと、
前記第１のオブジェクトを含む前記ビデオ内の関心領域（ＲＯＩ）を定義すること、ここにおいて、前記ＲＯＩは、前記第１のオブジェクトが前記ビデオ内を移動すると前記第１のオブジェクトと共に移動する、と、
前記スクリーン上に前記ビデオ内の前記ＲＯＩとは別個である第１のＰＩＰを表示すること、ここにおいて、前記第１のＲＩＰは、第１のロケーション内の前記第１のＰＩＰが前記ビデオ内の前記ＲＯＩを妨害しないように、前記スクリーン上の前記第１のロケーションを有する位置に表示され、前記第１のＰＩＰは、前記第１のオブジェクトの画像を含む第１のＰＩＰビデオを継続的に表示する、と、
前記第１のオブジェクトを追跡することと、前記第１のオブジェクトが追跡されているときに前記第１のＰＩＰに前記第１のオブジェクトを表示することと、
前記スクリーン上に第２のＰＩＰを表示すること、ここにおいて、前記第２のＰＩＰは、前記第２の視野からの第２のオブジェクトの画像を含む第２のＰＩＰビデオを表示する、と、
前記第１のＰＩＰまたは前記第２のＰＩＰが前記定義されたＲＯＩを妨害すると決定することに応答して、前記第１のＰＩＰおよび前記第２のＰＩＰをグループとして共に移動させることと、
を備える、非一時的なコンピュータ可読媒体。
【請求項２２】
前記方法は、前記ビデオ、前記第１のＰＩＰビデオ、および前記第２のＰＩＰビデオを記録することをさらに備える、請求項２１に記載のコンピュータ可読媒体。
【請求項２３】
前記方法は、前記スクリーン上に前記定義されたＲＯＩを表示することをさらに備える、請求項２１に記載のコンピュータ可読媒体。
【請求項２４】
前記ＲＯＩを定義することは、前記第１のオブジェクトの境界と前記ＲＯＩとの間に指定量の距離を残すマージンを定義することを備える、請求項２１に記載のコンピュータ可読媒体。